(57)【要約】 【課題】  回転する自発光の２次元表示ディスプレイを用いて実用レベルの品質を持った３次元画像を、特にその画面サイズに拘らず鮮明に表示すること。【解決手段】  回転する自発光のパネルとして有機ＥＬパネルを用い、その画素９０毎に設けられている記憶素子５６に画像データを記憶する。その後、有機ＥＬパネルの回転角に同期し、前記回転角に対応する記憶素子５６から画像データを読み出し、この画像データでＥＬ駆動用トランジスタ６０を制御して有機ＥＬ素子を点滅することにより、２次元画像を有機ＥＬパネルに表示する。それ故、記憶素子５６とＥＬ駆動用トランジスタ６０とを有機ＥＬパネルの画面サイズに拘らず近接配置して、読み出された画像データを伝送する配線容量を小さくしてその時定数を小さくすることができるため、そのリフレッシュレートを常に高速にできる。これにより、画面サイズに拘らず３次元画像を鮮明に表示することができる。【選択図】  図８
2005045629.tif 000002
【特許請求の範囲】
【請求項１】
回転する自発光の２次元表示パネルにその回転角に同期して２次元画像を切り替えて表示することによって前記２次元画像の集合としての３次元画像を表示する３次元画像表示装置であって、
前記２次元表示パネルは、前記２次元画像の画像データを記憶する記憶手段と、
前記記憶手段から前記画像データを前記２次元表示パネルの回転に同期して読み出し、読み出した画像データに対応する２次元画像を前記２次元表示パネルの表示部に表示する表示手段と、
を具備することを特徴とする３次元画像表示装置。
【請求項２】
前記記憶手段は、前記表示部を構成する画素毎に画像データを記憶する記憶素子を有することを特徴とする請求項１記載の３次元画像表示装置。
【請求項３】
前記３次元画像の回転分解能をＮとした時、前記記憶手段はＮ個の前記記憶素子を有し、前記表示手段は前記２次元表示パネルが３６０度／Ｎ回転する毎に、前記画像データ読み出す記憶素子を切り替えることを特徴とする請求項２記載の３次元画像表示装置。
【請求項４】
前記記憶手段は、前記２次元表示パネルの１回転分の前記２次元画像に対応する画像データを記憶することを特徴とする請求項１、２、又は３記載の３次元画像表示装置。
【請求項５】
前記３次元画像の表示位置を前記２次元表示パネルの回転方向又はその逆方向にずらす表示シフト制御手段を設けたことを特徴とする請求項１記載の３次元画像表示装置。
【請求項６】
前記表示シフト制御手段は、前記記憶手段から前記２次元表示パネルの回転に同期して読み出した画像データに対応する画像を前記表示部に表示するタイミングを、３６０度／Ｎずつずらす制御を行うことを特徴とする請求項５記載の３次元画像表示装置。
【請求項７】
前記自発光の２次元表示パネルは有機エレクトロルミネッセンスパネルであることを特徴とする請求項１記載の３次元画像表示装置。
【発明の詳細な説明】
【技術分野】
【０００１】
本発明は、回転する２次元表示ディスプレイの回転角に同期して、この２次元表示ディスプレイに画像を切り替えて表示することによって３次元画像を表示する３次元画像表示装置に関する。
【背景技術】
【０００２】
３次元画像を表示する３次元画像表示装置（３次元ディスプレイ装置と称することもある）は、医療や化学（分子構造解析）、機械設計（ＣＡＤ）、広告ディスプレイ、エンターテイメントなど多くの分野でその実現が望まれている。
【０００３】
その結果、３次元ディスプレイ装置として、両眼視差を利用したものが実用化され、例えば、５０インチ型の４視点の３次元ディスプレイ装置が発表されたり、３次元ディスプレイ機能を組み込んだ携帯電話が実用化されている。
【０００４】
これらの両眼視差を利用した３次元ディスプレイ装置は、平面ディスプレイ装置から比較的容易に３次元画像を表示することが可能である反面、立体に見える視点位置が限定されてしまい、観察者が自由な位置から画像を観察することができない。
【０００５】
そこで、観察者が自由な位置から３次元画像を観察できる方式として、体積走査型の３次元ディスプレイ装置が知られており、製品として実用化されている。
【０００６】
図１４はこの体積走査型の３次元ディスプレイ装置の概略構造を示した図である。３次元ディスプレイ装置１３２は、台座部１３４と、台座部１３４の上で高速回転（７３０ｒｐｍ）するスクリーン１３６と、このスクリーン１３６を収納する風防１３８を有している。台座部１３４は回転するスクリーン１３６にＤＭＤ（Digital Micromirror Device）を使用して画像を投影するプロジェクタを構成する光学系を内蔵し、その投影ミラ−部１４０が台座部１３４の上面に設置されている。このプロジェクション機能はスクリーン１３６の回転角に同期して３次元オブジェクトの断面画像をスクリーン１３６に切り替えて投影する。
【０００７】
ここで、上記した体積走査型の３次元ディスプレイ装置により３次元画像を表示できる原理について図１５を用いて説明する。図１５（Ａ）に示すように、ある丸い３次元オブジェクト１４２を表示することを考える。スクリーン１３６が連続的に回転している状態で、スクリーン１３６がある回転角のとき、この３次元オブジェクト１４２の表面切断画像を考える。
【０００８】
図１５（Ｂ）に示すように、アングル（回転角）１のとき、スクリーン１３６は３次元オブジェクト１４２に僅かに侵入した位置にあり、その表面切断画像  （以下断面図と称する）は図１５（Ｃ）のアングル１に示すように、初めは小さい円１４４となる。以下同様で、スクリーン１３６は３次元オブジェクト１４２に侵入するにつれて、その断面画像の大きさが変化し、アングル３で円１４４のサイズが最大、その後アングル５でまた小さくなり、最後に、スクリーン１３６は３次元オブジェクト１４２から離脱する。
【０００９】
このようにスクリーン１３６のアングル毎に、図１５（Ｃ）に示したような３次元オブジェクトの断面画像を投影ミラ−部１４０からスクリーン１３６に投影して表示させるようにする。この時スクリーン１３６が高速回転していれば、目の積分効果によりスクリーン１３６は見えなくなり、表示した断面画像が残像として全て見えるようになる。そのため、連続した断面画像の集合として、３次元オブジェクト１４２の３次元画像が表示される。この効果が有効にあらわれるためには、体積の書き換え周期が３０Ｈｚ以上あることが望ましい。（それ以下でもちらつきはあるものの３次元画像表示は可能）そのため、スクリーン１３６の回転数として１５Ｈｚ以上（９００ｒｐｍ）が望ましい。
【００１０】
しかし、回転するスクリーン１３６にプロジェクタを用いて画像を表示するには、複数回に亙りミラーに映像を反射させる必要があるため、精度良く画像を表示するには、ミラーによる複雑な反射系を精密に作る必要がある。これでは、装置の価格が高くなってしまうし、そもそも表示精度を上げることが難しく、ぼやけた３次元画像しか得られず、その上、３次元画像の輝度やコントラストを向上させることも難しいという問題がある。
【００１１】
このような３次元ディスプレイ装置の問題点を解決する１つの方法として、プロジェクタを使用せずに、回転する自発光の２次元表示ディスプレイ（２次元表示パネルに同じ）にその回転角に同期して画像を切り替えて直接表示する方式があり、この方式では、３次元画像を鮮明に表示できると共に、表示精度、輝度及びコントラストを向上させることができ、このような方式の基本アイデアが公知となっている（例えば特許文献１参照）。
【特許文献１】特表昭５６−５００３１３号公報  （第３−８頁、第１図）
【発明の開示】
【発明が解決しようとする課題】
【００１２】
しかしながら、従来の回転する自発光の２次元表示ディスプレイにその回転角に同期して画像を切り替えて表示する方式では、その自発光２次元表示ディスプレイとして、以下の条件が必要となる。（１）高速リフレッシュレート、例えば、体積の書き換え周期が３０Ｈｚで、角度分解能を２度（一周で１８０）とすると、自発光２次元表示ディスプレイの１画面の書き換え周期は３０Ｈｚ×１８０＝４８００Ｈｚとなる。（２）ディスプレイとしての基本性能である高精細・高輝度・高コントラスト、（３）視野角が広い、これは視野角が狭いと斜めからディスプレイを見ても表示画像が見えず、これでは３次元画像として見えない。（４）薄い、ディスプレイが厚いとその部分は画像が表示されないため違和感のある３次元画像となる。（５）表面と裏面の両面発光。
【００１３】
ところが上記公知例では、自発光ディスプレイの実施例として２次元に配列されたＬＥＤパネルを用いることが記述されているが、現在まで、２次元に配列されたＬＥＤで、上記のような条件を満たすようなものは存在せず、従って、ＬＥＤパネルを用いて回転する自発光の２次元表示ディスプレイを構成しても、角度分解能が悪いものしかできず、それ故ちらつきが大きく且つ解像度が粗い３次元画像しか表示できない。このため、回転するＬＥＤパネルにその回転角に同期して２次元の断面画像を表示しても実用レベルのまともな３次元画像を表示することは不可能である。
【００１４】
本発明は前記事情に鑑み案出されたものであって、本発明の目的は、回転する自発光の２次元表示ディスプレイを用いて実用レベルの品質を持った３次元画像を、特にその画面サイズに拘らず鮮明に表示することができる３次元画像表示装置を提供することにある。
【課題を解決するための手段】
【００１５】
本発明は上記目的を達成するため、回転する自発光の２次元表示パネルにその回転角に同期して２次元画像を切り替えて表示することによって前記２次元画像の集合としての３次元画像を表示する３次元画像表示装置であって、前記２次元表示パネルは、前記２次元画像の画像データを記憶する記憶手段と、前記記憶手段から前記画像データを前記２次元表示パネルの回転に同期して読み出し、読み出した画像データに対応する画像を前記２次元表示パネルの表示部に表示する表示手段とを具備することを特徴とする。
【００１６】
このように本発明の３次元画像表示装置では、回転する自発光の２次元表示パネルに、その回転角に同期して表示する２次元画像の画像データを一旦記憶し、その後読み出して表示部に表示する手段を内蔵することにより、画像データを記憶する記憶素子と表示駆動用のトランジスタを近接配置して、読み出された画像データを表示駆動用トランジスタに印加するまでの配線路を短くすることができるため、その配線容量を小さくしてその時定数を小さくすることができる。それ故、前記２次元表示パネルとして例えば画面サイズの大きな有機エレクトロルミネッセンスパネルを用いた場合でも、画面サイズに拘らず前記配線容量を小さくしてその時定数を小さくでき、高速のリフレッシュレートを確保することができるため、画面サイズに依らず、鮮明な３次元画像を表示することができる。
【発明の効果】
【００１７】
以上詳細に説明したように、本発明によれば、回転する自発光の２次元表示パネルに、その回転角に同期して表示する２次元画像の画像データを一旦記憶し、その後読み出して表示部に表示する手段を内蔵することにより、２次元表示パネルの画面サイズに依らず、読み出した画像データを表示駆動用トランジスタに印加するまでの配線路を短してその時定数を小さくすることができるため、リフレッシュレートを常に高速にすることができ、鮮明な３次元画像を表示することができる。
また、上記構成により、元々リフレッシュレートが高速のものは更にリフレッシュレートを高速にできるため、２次元表示パネルに表示する２次元画像の切り換えを高速化することができ、表示された３次元画像の分解能、角度分解能を上げて、より鮮明な３次元画像を表示することができる。
更に、一旦記憶されて読み出された画像データを２次元表示パネルの回転角に同期して表示するので、画像データの記憶タイミングは２次元表示パネルの回転角に同期する必要がないため、回路を簡単化できると共に消費電力を低減することができる。
また、表示される３次元画像が静止画であった場合、２次元表示パネルに表示する１回転分の２次元画像の画像データを一度記憶しておけば、以降、画像データを書き換える必要がなくなり、記憶した画像データを読み出して２次元表示パネルに表示する動作だけを行えば良いので、画像データの記憶やその前段階の画像処理などの各種の回路の動作を停止することができ、消費電力を大幅に低減することができる。
更に、上記したように画面サイズに依らず、リフレッシュレートを常に高速にすることができるため、２次元表示パネルの大画面化を可能にすることができる。
また、一旦記憶した画像データを２次元表示パネルの回転に同期して読み出して表示するタイミングをずらす制御を行うことにより、３次元画像の表示位置を２次元表示パネルの回転方向又はその逆方向にシフトして表示させることができる。
更に、自発光の２次元表示パネルとして記憶素子内蔵型の有機エレクトロルミネッセンスパネルを用いることにより、上記諸効果を確実に得ることができる。
【発明を実施するための最良の形態】
【００１８】
回転する自発光の２次元ディスプレイを用いて実用レベルの品質を持った３次元画像をその画面サイズに依らず鮮明に表示させる目的を、画像データを記憶する記憶素子を内蔵した有機エレクトロルミネッセンスパネルを前記２次元ディスプレイとして用いることによって実現する。
【実施例１】
【００１９】
図１は、本発明の一実施の形態に係る３次元画像表示装置の外観例を示した斜視図である。
【００２０】
３次元画像表示装置２は、円筒状の台座部４と、台座部４の上面に回転自在に垂直に設置された円板状の回転板６と、この回転板６の直径方向に立設された１枚の四角形状の有機エレクトロルミネッセンス（以下ＥＬと略称する）パネル８から構成されている。この有機ＥＬパネル８は矢印２００に示すように片面発光タイプで、回転板６が回転すると、有機ＥＬパネル８も回転し、その回転軸Ｏは回転板６の中心点と一致する。但し、特許請求の範囲の２次元表示パネルは有機エレクトロルミネッセンスパネル８に相当する。
【００２１】
図２は有機ＥＬパネル８に画像を表示する３次元画像表示回路の構成を示したブロック図である。
【００２２】
３次元画像表示回路は、台座部４と回転板６に分かれて搭載されている。台座部４側は、外部から画像データと制御情報を受け取る受信手段１２と、受信した画像データを圧縮する圧縮部１４、圧縮部１４の動作領域を提供するメモリ１６と、圧縮した画像データを回転板６側に送信する伝送手段１８と、受信した画像データの画像処理等を行う制御部２０を有している。
【００２３】
回転板６側は、台座部４側から送信された圧縮画像データを受信する受信手段２２と、受信した圧縮データを伸長して有機ＥＬパネル８に画像データを出力する伸長部２４と、伸長部２４の動作領域を提供するメモリ２６と、有機ＥＬパネル８、即ち回転板６の回転角を検出する光学式或いは機械式などのアングルセンサ２８と、受信手段２２や伸長部２４を制御する制御部３０を有している。
【００２４】
ここで、有機ＥＬパネル８は、図示されない記憶素子（メモリ）を含む表示部８２と、表示部８２に含まれる記憶素子に画像データを書き込むためのソース信号線駆動回路８４と、同記憶素子に画像データを書き込むための書込用ゲート信号線駆動回路８６と、表示用ゲート信号線駆動回路８８とを備え、回転板６上に立設されている。但し、特許請求の範囲の表示部は表示部８２に相当し、表示シフト制御手段は制御部３０に相当する。
【００２５】
尚、台座部４の受信手段１２は外部通信路４０を介してパーソナルコンピュータ（ＰＣ）等で構成される制御装置１０に接続されている。
【００２６】
図３は表示部８２の回路構成を示した回路図である。表示部８２は、行方向に３２０個、列方向に２００個マトリックス状に配列された画素９０により構成されている。各画素９０は、ソース信号線駆動回路８４から出る複数のソース信号線５２（１）〜５２（３２０）、書込用ゲート信号線駆動回路８６から出る複数の書込用ゲート信号線Ｘ、表示用ゲート信号線駆動回路８８から出る複数の表示用ゲート信号線Ｙに接続されている。
【００２７】
図４は図２、図３に示した書込用ゲート信号線駆動回路８６の構成示した回路図である。書込用ゲート信号線駆動回路８６は、書込用ゲート信号線Ｘの中のいずれの行をアクティブにするかを選択するシフトレジスタ（ＳＲ）９２（１）〜９２（２００）と、選択された行の中で有機ＥＬパネル８の回転角（この例では０度（アングル１）、２度（アングル２）、４度（アングル３）、…、３５８度（アングル１８０））に対応する書込用ゲート信号線１〜１８０（図７参照）のいずれをアクティブにするかを選択するためのシフトレジスタ（ＳＲ）９４（１）〜（１８０）と、各ライン毎の書込用ゲート信号線１〜１８０を駆動するトランジスタＴｒ１〜Ｔｒ１８０から成るトランジスタ群９６（１）〜９６（２００）を有している。
【００２８】
図５は図２、図３に示したソース信号線駆動回路８４の構成示した回路図である。ソース信号線駆動回路８４は、ソース信号線Ｘの中のいずれの列をアクティブにするかを選択するシフトレジスタ（ＳＲ）９８（１）〜９８（３２０）と、シフトレジスタ９８（１）〜９８（３２０）の保持値が“１”の時、映像信号線１５０上の画像データをラッチするラッチ（ＬＡＴ）１５２（１）〜１５２（３２０）と、ラッチ１５２（１）〜１５２（３２０）にラッチされた各画像データを、ラッチ１５２（３２０）の画像データのラッチの終了と同時に、ラッチするラッチ１５４（１）〜１５４（３２０）と、ラッチ１５４（１）〜１５４（３２０）を動作させる制御信号を伝送する制御信号線１５６を有している。
【００２９】
図６は図２、図３に示した表示用ゲート信号線駆動回路８８の構成示した回路図である。後述の図７に示した表示用ゲート信号線１〜１８０（Ｙ）の中のいずれのアングルの表示用ゲート信号線をアクティブにするかを有機ＥＬパネル８の回転角に同期して選択するシフトレジスタ（ＳＲ）１６０（１）〜１６０（１８０）を有している。
【００３０】
図７は図２、図３に示した表示部８２を構成する画素９０の回路構成を示した回路図である。ソース信号線５２に書込スイッチ用トランジスタ（ＴＦＴ）５４を介して例えばＳＲＡＭ等の記憶素子５６の書き込み側が接続され、この記憶素子５６の読み出し側が表示スイッチ用トランジスタ（ＴＦＴ）５８を介して有機ＥＬ素子６２を駆動するＥＬ駆動用トランジスタ（ＴＦＴ）６０のゲートに接続されている。
【００３１】
Ｎ個の書込スイッチ用トランジスタ５４、記憶素子５６、表示スイッチ用トランジスタ５８は有機ＥＬパネル８に表示する画像を切り替える回転角（ここでは２度）で３６０度を除した数（回転分解能Ｎ＝１８０）だけ配置されている。書込スイッチ用トランジスタ５４のゲートは書込用ゲート信号線Ｘ（Ｘ＝１〜１８０）に接続され、表示スイッチ用トランジスタ５８のゲートは表示用信号線Ｙ  （Ｙ＝１〜１８０）に接続され、ＥＬ駆動用トランジスタ６０のソースは電源供給線６４に、ドレインは有機ＥＬ素子６２に接続され、有機ＥＬ素子６２の他端（カソード側）は接地されている。但し、特許請求の範囲の記憶手段は記憶素子５６と書込スイッチ用トランジスタ５４と図３に示したソース信号線駆動回路８４と書込用ゲート信号線駆動回路８６に相当し、表示手段は表示スイッチ用トランジスタ５８と図３に示した表示用ゲート信号線駆動回路８８に相当する。
【００３２】
図８は図７に示した画素９０を構成する有機ＥＬ素子６２の構造を示した断面図である。光透過性カソード６６とメタルアノード６８の間に有機発光層（図では発光層）７０が挟まれて成る積層体が、ガラス基板７２上に形成されて有機ＥＬ素子６２が構成されている。光透過性カソード６６とメタルアノード６８の間に電圧がかかると有機発光層７０が発光し、光はメタルアノード６８により反射され、光透過性カソード６６、保護層１２６、透明シール１２８を通して一方向に放射される。尚、図７で示した記憶素子５６は例えばガラス基板７２内に搭載される。
【００３３】
図９は上記した回転板６を回転させる回転機構を示した斜視図及び平面図である。図９（Ａ）に示すように、回転板６は台座部４にその中心が軸７８（図９（Ｂ）参照）により回転自在に軸支されている。
【００３４】
図９（Ａ）、（Ｂ）に示すように、回転板６の裏面には、４個の磁石７４が同一円周上に等間隔で、しかも隣り合う磁石７４の極性が互いに異なるように配置され、更に、これら磁石７４の間に電力及びデータを受電及び受信する受電コイル７６が等間隔で、上記磁石７４が配置されている円周上に配置されている。また、台座部４の上面には、図９（Ｃ）に示すように、回転板６の駆動用及びデータ送信用の駆動コイル４４が同一円周上に等間隔で配置され、駆動コイル４４に電流を流した時に隣接する駆動コイル４４が互いに逆極性になるように、隣接する駆動コイル４４の巻回方向を逆にしてある。尚、磁石７４の配置円周と駆動コイル４４の配置円周の直径は同一であり、台座部４の伝送手段１８は駆動コイル４４と信号増幅器４６から構成されている。また、回転板６の受電コイル７６は受信手段２２を構成している。
【００３５】
次に本実施の形態の動作について説明するが、まず、その概略動作を図１を用いて説明する。図１にて、台座部４の上面に設置された回転板６が回転軸Ｏを中心にして高速で回転（例えば９００ｒｐｍ）するため、回転板６に立設された有機ＥＬパネル８が高速回転する。この状態で、表示する３次元オブジェクトを有機ＥＬパネル８の回転角（例えば２度）毎に、有機ＥＬパネル８で仮想的に切断した時に得られる２次元の断面画像データを、台座部４側から回転板６側に供給する。
【００３６】
有機ＥＬパネル８は回転角毎の２次元の断面画像データを一旦図示されない記憶素子に記憶した後、有機ＥＬパネル８の回転角に応じて、該当する断面画像データを記憶素子から読み出し、この断面画像データに従って有機ＥＬパネル８の表示部を構成する自発光のマトリックス状に配置された複数の画素を点滅させる。
【００３７】
これにより、マトリックス状に配置された自発光の画素により２次元の断面画像が表示され、それが有機ＥＬパネル８の回転角に同期して切り替わるため、連続する２次元の断面画像の集合として３次元オブジェクト画像が表示される。尚、図中の矢印２００は有機ＥＬパネル８の画素の発光方向を示しており、本例の有機ＥＬパネル８は片面発光である。
【００３８】
ここで、有機ＥＬパネル８は次のような周知の特性を持っている。（１）画素を構成する有機ＥＬ素子の反応速度が早い（数１０マイクロセコンド）、（２）有機ＥＬ素子が自発光なため、視野角が広い、（１８０度近い）、（３）有機ＥＬ素子が自発光なため、高精細・高輝度・高コントラストが実現可能、（４）有機ＥＬ素子が自発光なため、非常に薄い（１ｍｍ程度）。
【００３９】
従って、回転角に同期して表示画像を切り替えて直接表示する自発光の２次元表示ディスプレイとして、上記特性を持った有機ＥＬパネル８を用いることにより、３次元オブジェクトを３次元画像として鮮明な画像で表示することができる。
【００４０】
以下、本実施の形態の動作について更に詳しく説明する。図２の制御装置１０は、例えば表示すべき図１０（Ａ）、（Ｂ）、（Ｃ）に示すような、球体の３次元オブジェクト画像データの時間変化に対する差分データ３０２、３０４を生成し、これら差分データを外部通信路４０を通して台座部４の受信手段１２に送信する。
【００４１】
台座部４の制御部２０は受信手段１２により外部通信路４０から受信された差分データ３０２、３０４より、元の３次元オブジェクト画像データを復元する。更に、制御部２０は復元された３次元オブジェクト画像データから、有機ＥＬパネル８の回転角（例えば２度）毎に有機ＥＬパネル８の平面で３次元オブジェクトを仮想的に切断した時に生じる断面画像データを生成し、これら断面画像データを圧縮部１４に順次出力する。
【００４２】
ここで、復元した３次元オブジェクトが例えば図１１（Ａ）に示すような球体８０２であった場合、制御部２０は、有機ＥＬパネル８の回転角毎に、有機ＥＬパネル８の平面で３次元オブジェクトを仮想的にスライスしたときに生じる断面画像より断面画像データを生成する。この場合、図１１（Ｂ）に示すように、有機ＥＬパネル８の回転角０度、２度、４度、６度、８度の断面画像データ１０２、１０４、１０６、１０８、１１０が生成されて圧縮部１４に順次出力される。尚、回転角１０度以降も同様で、有機ＥＬパネル８の１回転当たり、１８０枚の断面画像データが生成される。
【００４３】
圧縮部１４は、一つ前の断面画像データと次に表示する断面画像データの差分データをメモリ１６を用いて算出し、得られた差分データを伝送手段１８に出力する。伝送手段１８は入力される差分データを電磁結合を利用した無線通信により回転板６側に送信する。尚、この無線通信については後述する。
【００４４】
回転板６の受信手段２２は、台座部４から送信されて来た上記の差分データを受信して、伸長部２４に出力する。伸長部２４は入力される差分データから有機ＥＬパネル８の回転角毎の断面画像データをメモリ２６を用いて復元し、これら復元した断面画像データを有機ＥＬパネル８に順次出力する。
【００４５】
次に有機ＥＬパネル８での画像表示動作を図３〜図７及び図１２を参照して説明する。図３にて、有機ＥＬパネル８のソース信号線駆動回路８４と書込用ゲート信号線駆動回路８６はソース信号線５２と書込用ゲート信号線Ｘを順番にアクティブにし、これら信号線が交差しているところに接続された画素９０に対してソース信号線５２から断面画像データを送ることにより、各画素９０が表示すべき断面画像データを各画素９０の記憶素子５６（図７参照）に書き込むことができる。この例の記憶素子５６は有機ＥＬパネル８の回転分解能（この例では１８０）に対応して、１個の画素９０に対して１８０個あるため、有機ＥＬパネル８の回転角に対応した１回転分の全ての断面画像データが１画素中の各記憶素子５６に書き込まれることになる。
【００４６】
ここで、ソース信号線駆動回路８４の動作について更に詳しく説明する。今、図３の第１行の画素９０にアングル１の画像データを書き込む場合、図５のシフトレジスタ９８（１）にスタート信号“１”が入力される。このタイミングで映像信号線１５０に第１行、第１列目の画素９０に書き込むべき図１２に示すようなアングル１の画像データが出力される。但し、図１２の１、２、…、３２０で示した部分が表示部８２の第１列〜第３２０列の画素９０に表示する断面画像データであり、これら断面画像は１行につき１８０アングル分ある。更に、このような断面画像データが第１〜第２００行分ある。
【００４７】
シフトレジスタ９８（１）にスタート信号“１”が入力されると、その出力が“１”になるので、ラッチ１５２（１）が映像信号線１５０上の第１行、第１列目の画素９０に書き込むべきアングル１の画像データをラッチする。
【００４８】
次のタイミングで、全てのシフトレジスタ９８にクロックが入力され、シフトレジスタ９８（１）に保持されていた“１”がシフトレジスタ９８（２）にシフトして、このシフトレジスタ９８（２）保持される。このタイミングで映像信号線１５０に第１行、第２列目の画素９０に書き込むべき図１２に示すようなアングル１の画像データが出力される。シフトレジスタ９８（２）に“１”が入力されると、その出力が“１”になるので、ラッチ１５２（２）が映像信号線１５０上の第１行、第２列目の画素９０に書き込むべきアングル１の画像データをラッチする。
【００４９】
以下同様で、シフトレジスタ９８（３）〜９８（３２０）に“１”が順番にシフトされて保持されるごとに、図１２に示すような第１行、第３列目、第１行、第４列目、…、第１行、第３２０列目の画素９０に書き込むべきアングル１の画像データがラッチ１５２（３）、１５２（４）、…、１５２（３２０）に順番にラッチされる。こうして、全てのラッチ１５２にアングル１の画像データがラッチされると、制御信号線１５６に“１”の制御信号が出力され、ラッチ１５４  （１）〜１５４（３２０）に第１行、第１列目、第１行、第２列目、…、第１行、第３２０列目の画素９０に書き込むべきアングル１の画像データが一斉にラッチされ、ラッチ１５４（１）〜１５４（３２０）の出力信号線であるソース信号線（１）〜（３２０）上に第１行目の画素に書き込まれるべきアングル１の画像データが出力される。
【００５０】
一方、図３の第１行の画素９０にアングル１の画像データを書き込む場合、書込用ゲート信号線駆動回路８６を構成する図４に示したシフトレジスタ９２（１）にスタート信号“１”が入力されと、シフトレジスタ９２（１）の出力が“１”即ち、ハイレベルになって第１行目の書込用ゲート信号線Ｘを制御するトランジスタ群９６（１）のトランジスタＴｒ１〜Ｔｒ１８のソースをハイレベルとして、これらトランジスタを動作可能状態にする。
【００５１】
この状態で、有機ＥＬパネル８の回転角がアングル１となったタイミングで、シフトレジスタ９４（１）にスタート信号“１”が入力されると、シフトレジスタ９４（１）の出力が“１”になって、トランジスタ群９６（１）のＴｒ１がオンして、Ｔｒ１のドレインに接続された書込用ゲート信号線１が“１”即ちハイレベルになり、第１行の全ての画素９０のアングル１用の記憶素子５６を記憶可能にする。その時、ソース信号線５２（１）〜５２（３２０）からは、それぞれ第１行、第１列目、第１行、第２列目、…、第１行、第３２０列目のアングル１の画像データが出力されているため、第１行の全ての画素９０のアングル１用の記憶素子５６にアングル１の画像データが一斉に書き込まれる。
【００５２】
次に有機ＥＬパネル８の回転角がアングル２となったタイミングで、シフトレジスタ９４にクロックが入力され、信号“１”がシフトレジスタ９４（１）からシフトレジスタ９４（２）にシフトされて保持されるため、トランジスタ群９６（１）のＴｒ２がオンして、Ｔｒ２のドレインに接続された書込用ゲート信号線２が“１”即ちハイレベルになり、第１行の全ての画素９０のアングル１用の記憶素子５６を記憶可能ににする。その時、ソース信号線５２（１）〜５２（３２０）からは、上記した動作と同様のことが繰り返されて、それぞれ第１行、第１列目、第１行、第２列目、…、第１行、第３２０列目のアングル２の画像データが出力されているため、第１行の全ての画素９０のアングル２用の記憶素子５６にアングル２の画像データが一斉に書き込まれる。以下同様で、第１行の全ての画素９０のアングル３〜１８０用の記憶素子５６にアングル３〜１８０の画像データが書き込まれる。
【００５３】
こうして、第１行の全ての画素９０のアングル３〜１８０用の記憶素子５６にアングル３〜１８０の画像データが書き込まれると、書込用ゲート信号線駆動回路８６を構成するシフトレジスタ９２にクロックが出力され、信号“１”シフトレジスタ９２（１）からシフトレジスタ９２（２）にシフトされて、シフトレジスタ９２の出力がハイレベルになって、第２行目の画素に接続されている書込用ゲート信号線Ｘを制御するトランジスタ群９６（２）のトランジスタＴｒ１〜Ｔｒ１８を動作可能状態にする。
【００５４】
この状態で、有機ＥＬパネル８の回転角がアングル１となったタイミングで、シフトレジスタ９４（１）にスタート信号“１”が入力されると、シフトレジスタ９４（１）の出力が“１”になって、トランジスタ群９６（２）のＴｒ１がオンして、Ｔｒ１のドレインに接続された書込用ゲート信号線１が“１”即ちハイレベルになり、第２行の全ての画素９０のアングル１用の記憶素子５６を記憶可能にする。その時、ソース信号線５２（１）〜５２（３２０）からは、それぞれ第２行、第１列目、第１行、第２列目、…、第１行、第３２０列目のアングル１の画像データが出力されているため、第２行の全ての画素９０のアングル１用の記憶素子５６にアングル１の画像データが一斉に書き込まれる。上記動作の繰り返しにより、２００行、３２０列の全ての画素９０に１回転分のアングル１〜アングル１８０の画像データが記憶される。
【００５５】
次に上記した断面画像データの書込み動作を図７の画素単位で説明する。図７にて、この画素９０に接続されている書込用ゲート信号線Ｘの中の有機ＥＬパネル８の回転角がアングル１の時の断面画像データを書き込むための書込用ゲート信号線１がハイレベルになると、この書込用ゲート信号線１にゲートが接続された書込スイッチ用トランジスタ５４がオンになる。これにより、ソース信号線５２を通してアングル１の断面画像データがこの書込スイッチ用トランジスタ５４に接続された記憶素子５６に書き込まれる。その後、書込用ゲート信号線１がローレベルになって書込スイッチ用トランジスタ５４がオフになり、次に書込用ゲート信号線２がハイレベルになると、この書込用ゲート信号線２にゲートが接続された書込スイッチ用トランジスタ５４がオンになるため、ソース信号線５２を通してアングル２の時の断面画像データがこの書込スイッチ用トランジスタ５４に接続された記憶素子５６に書き込まれる。以下同様で、１個の画素９０に設けられた１８０個の記憶素子５６それぞれに有機ＥＬパネル８の１回転分の全ての断面画像データが記憶される。このような１個の画素９０に対する前記回転角毎の断面画像データの書き込みは、図３に示した全ての画素９０に対して同様に行われる。
【００５６】
上記のようにして図３に示した表示部８２を構成する全ての画素９０に有機ＥＬパネル８の１回転分の回転角毎の全ての断面画像データが記憶されると、図６に示した表示用ゲート信号線駆動回路８８は以下に述べるような動作を行う。即ち、表示用ゲート信号線駆動回路８８は、アングルセンサ２８の検出回転角がアングル１になった時、スタート信号“１”をシフトレジスタ１６０（１）に入力して、シフトレジスタ１６０（１）の出力を“１”とし、このシフトレジスタ１６０（１）の出力側に接続されている表示用ゲート信号線１を“１”とする。次にアングルセンサ２８の検出回転角がアングル２になった時、シフトレジスタ１６０（２）に信号“１”をシフトして保持させ、このシフトレジスタ１６０（２）の出力側に接続されている表示用ゲート信号線２を“１”とする。以下同様で、表示用ゲート信号線Ｙをアングルセンサ２８の検出回転角に同期して順次ハイレベルにする。ここで、表示用ゲート信号線１がハイレベルになると、表示部８２を構成する全ての画素９０の記憶素子５６から同時にアングル１の断面画像データを読み出して、各画素９０の有機ＥＬ素子６２を点滅させて、アングル１の断面画像を表示させる。以下同様で、アングル２、アングル３、…、アングル１８０の断面画像データをそれぞれ読み出して、表示部８２を構成する全ての画素９０の有機ＥＬ素子６２を点滅させことにより、表示部８２に有機ＥＬパネル８の回転角がアングル２、…、アングル１８０の時の断面画像が順次切り替えて表示される。
【００５７】
ここで、上記した断面画像の表示動作について図７を用いて画素単位で説明する。有機ＥＬパネル８の回転角がアングル１の時の断面画像データを表示するために、表示用ゲート信号線１がハイレベルになると、この表示用ゲート信号線１にゲートが接続された表示スイッチ用トランジスタ５８がオンになって、記憶素子５６からアングル１の時の断面画像データが読み出され、ＥＬ駆動用トランジスタ６０のゲートに印加される。その結果、断面画像データが“１”であればＥＬ駆動用トランジスタ６０がオンして有機ＥＬ素子６２に電源供給線６４から電圧が印加され発光し、断面画像データが“０”であればＥＬ駆動用トランジスタ６０がオフして有機ＥＬ素子６２に電圧が印加されず発光しない。
【００５８】
ここで、上記のようにして高速回転する有機ＥＬパネル８に１回転分の回転角毎の断面画像を表示すると、これら断面画像の集合としての３次元画像が表示される。この場合、表示用ゲート信号線駆動回路８８は有機ＥＬパネル８の回転角がアングル１の時、アングル１の断面画像データを記憶素子５６から読み出して有機ＥＬ素子６２を読み出された断面画像データにしたがって点滅させることにより、アングル１の断面画像を表示部８２に表示し、以降同様にアングル２、アングル３、…、アングル１８０の断面画像を表示部８２に表示すれば、正規の位置に３次元画像が表示される。
【００５９】
しかし、有機ＥＬパネル８の回転角がアングル１＋α度の時にアングル１の断面画像データを読み出して表示部８２に表示し、以下同様にアングル２＋α度の時にアングル２の断面画像データを読み出して１回転分の断面画像データを表示部８２に表示すると、表示される３次元画像も正規の位置よりもα度回転した位置に表示される。したがって、制御部３０が表示用ゲート信号線駆動回路８８に上記のような回転情報αを与えることにより、３次元画像の位置をα度回転させて表示させることができる。
【００６０】
次に回転板６の回転動作及台座部４側から回転板６側に電力を伝送する動作について図９及び図１３を参照して説明する。
【００６１】
まず、回転動作について説明する。今、回転板６の裏面に配置された磁石７４と、台座部４の上面に配置された駆動コイル４４との相対的な位置関係が図１３（Ａ）に示した如くであった場合、駆動コイル４４には図示の極性になるように電流が流される。ここで、Ｎ極になった駆動コイル４４（Ａ）に着目すると、その両側の磁石７４（１）はＮ極、磁石７４（２）はＳ極であるため、磁石７４  （１）との間には斥力が、磁石７４（２）との間には引力が発生する。他の駆動コイル４４とその両側にある磁石７４との間にも同様に斥力と引力が発生し、図中矢印の方向に回転板６が回転する。但し、図中、Ｆは回転板６の回転方向を知るための目印である。
【００６２】
こうして、回転板６の裏面に配置された磁石７４と、台座部４の上面に配置された駆動コイル４４との相対的な位置関係は図１３（Ｂ）に示したように変化し、回転板６の慣性力により、回転板６は左回転方向に行き過ぎて図１３（Ｃ）に示したように、回転板６の裏面に配置された磁石７４と、台座部４の上面に配置された駆動コイル４４との相対的な位置関係が変化する。この状態で、駆動コイル４４に流していた電流の向きを反対にして、図１３（Ｄ）に示したようにその極性を反転させる。
【００６３】
これにより、駆動コイル４４（Ｂ）はＳ極からＮ極となるため、近接しているＮ極の磁石７４（３）との間に斥力が発生する。これは他の駆動コイル４４と磁石７４の間でも同様で、結局、回転板６は左回転方向に回転を継続する。このように、磁石７４と駆動コイル４４の相対的な位置に応じて、駆動コイル４４に流れる電流の向きを高速で切り替えることにより、回転板６を高速で回転（９００ｒｐｍ）させることができる。
【００６４】
次に電力の伝送動作について説明する。図９（Ｂ）に示すように、回転板６の裏側には、受電コイル７６が磁石７４と同一の円周上に配置されている。今、台座部４側の駆動コイル４４に回転板６を回転させるために正弦波電流を流して、駆動コイル４４の電磁石としての極性をスイッチングさせた場合に、駆動コイル４４の中心と受電コイル７６の中心が一致するような位置関係に両コイルが近接する際に、両コイルの電磁的な結合度が最大になり、駆動コイル４４側に流れている正弦波電流と同様の正弦波電流が受電コイル７６側に誘導されて発生する。従って、４個の受電コイル７６を同一方向に誘導電流が流れるように接続することにより、回転板６側で必要とする電力を取り出すことができる。
【００６５】
最後に、台座部４側から回転板６側に圧縮した画像データを無線通信で送信する動作について説明する。伝送手段１８により駆動コイル４４側に流れている正弦波電流を圧縮部１４から入力される圧縮画像データで変調する。これにより、受電コイル７６に誘導される正弦波電流も圧縮した画像データで変調された電流となる。そこで、受電手段２２は受電コイル７６に誘導される正弦波電流から圧縮画像データをハイパスフィルターなどを用いて抽出して、圧縮画像データを復調することができる。
【００６６】
本実施の形態によれば、高速回転する自発光の２次元表示ディスプレイとして、有機ＥＬパネル８を用いることにより、画素９０を構成する速い反応速度を持った有機ＥＬ素子６２によって２次元の断面画像を有機ＥＬパネル８の回転角に同期して高速（例えばリフレッシュ周波数４．８ＫＨｚ前後）で切り替えて表示することができるため、角度分解能を上げることができ、前記２次元の断面画像の集合としての３次元画像をちらつきなく表示することができるため、実用レベルの品質を持った３次元画像表示装置を実現することができる。しかも、投影画像でないため、鮮明な３次元画像を表示することができる。尚、本例の有機ＥＬパネル８は片面発光のタイプのものであるが、リフレッシュレートが十分に高速であれば、その分、有機ＥＬパネル８の回転数を上げることができ、片面発光のタイプでも上記した効果を得ることができる。
【００６７】
また、有機ＥＬ素子６２が自発光なため、視野角が広く、有機ＥＬパネル８をどのような角度で見ても、表示画像を見ることができるので、連続する２次元の断面画像の集合としての３次元画像を完全に表示することができ、観察者はどのような位置からでも表示された３次元画像をはっきり見ることができる。更に、有機ＥＬ素子６２が自発光なため、３次元オブジェクト画像を高精細（高分解能）・高輝度・高コントラストで表示することが可能で、３次元画像の表示品質を著しく高めることができる。また、有機ＥＬ素子６２が自発光なため、有機ＥＬパネル８を非常に薄く作ることができるので、有機ＥＬパネル８の厚みにより３次元画像が表示できない部分をほぼ無くすことができ、違和感のない３次元画像を鮮明に表示することができる。
【００６８】
更に、画素９０毎に、有機ＥＬパネル８が１回転する間に表示する全ての断面画像データを記憶素子５６に一旦記憶してから有機ＥＬパネル８の回転角に同期して読み出し、読み出した断面画像データを有機ＥＬ素子６２を駆動するＥＬ駆動用トランジスタ６０に印加する構成としているため、記憶素子５６とＥＬ駆動用トランジスタ６０を近接配置することができ、これにより、断面画像データをＥＬ駆動用トランジスタ６０に印加するまでの配線路を短くでき、その配線容量を小さくしてその時定数を小さくできるので、画面サイズの大きな有機ＥＬパネル８でもそのリフレッシュレートを高速にすることができるため、有機ＥＬパネル８の画面サイズに依らず、実用レベルの品質を持った３次元画像を鮮明に表示することができる。
【００６９】
尚、通常の画面サイズの大きな有機ＥＬパネル８では断面画像データを伝送する配線路が長くその時定数が大きくなるため、表示画像の切り換えが遅くなり、そのリフレッシュレートが遅くなる傾向にある。
【００７０】
また、画素９０毎に、有機ＥＬパネル８が１回転する間に表示する全ての断面画像データを記憶素子５６に一旦記憶してから有機ＥＬパネル８の回転角に同期して読み出して表示部８２に表示するため、有機ＥＬパネル８の回転角がアングル１＋α度の時にアングル１の断面画像データを読み出して表示部８２に表示するタイミングで、アングル２以降の断面画像データの表示も行うことにより、表示される３次元画像を正規の位置に対して任意の角度（α）ずらして表示することができ、例えば、正面を向いている人の顔の３次元画像を９０度ずらして横を向いた位置に表示することもできる。
【００７１】
更に、表示する３次元画像データが静止画の場合は、有機ＥＬパネル８の１回転分の断面画像データを有機ＥＬパネル８の記憶素子５６に記憶してしまえば、後は表示用ゲート信号線駆動回路８８など一部の回路を動作させるだけで３次元画像を表示できるため、受信手段２２や伸長部２４及び台座部４側の３次元画像表示回路などの動作を停止することができ、省電力化を図ることができる。
【００７２】
また、画素９０毎に、有機ＥＬパネル８が１回転する間に表示する全ての断面画像データを記憶素子５６に一旦記憶してから有機ＥＬパネル８の回転角に同期して読み出し、読み出した断面画像データを有機ＥＬ素子６２を駆動するＥＬ駆動用トランジスタ６０に印加する構成としているため、断面画像データの有機ＥＬパネル８への書き込みタイミングは有機ＥＬ素子６２の回転角に同期せずに行うことができるため、圧縮部１４、伝送手段１８、受信手段２２、伸長部２４の動作タイミング制御を容易に行うことができ、制御系を簡単化することができる。
【００７３】
尚、本発明は上記実施の形態に限定されることなく、その要旨を逸脱しない範囲において、具体的な構成、機能、作用、効果において、他の種々の形態によっても実施することができる。
【００７４】
例えば、本実施の形態の有機ＥＬパネル８は、図３〜図７に示したように、画素９０毎に断面画像データを記憶素子５６に一旦記憶してから有機ＥＬパネル８の回転角に同期して読み出し、読み出した断面画像データを有機ＥＬ素子６２を駆動するＥＬ駆動用トランジスタ６０に印加する構成として、断面画像データをＥＬ駆動用トランジスタ６０に印加するまでの配線路を短くして配線の時定数を小さくすることにより、画面サイズの大きな有機ＥＬパネルでもそのリフレッシュレートを高速にして、３次元画像を表示できるようにしてある。しかし、有機ＥＬパネル８の画面サイズが小さい場合は配線が短いため、上記した記憶素子がない通常の構成でもリフレッシュレートを高速にすることができるため、有機ＥＬパネル８として記憶素子のない通常構成のパネルを用いても、３次元画像を表示することができ、しかも、通常構成の有機ＥＬパネル８は安価であるため、その分、装置のコストを削減することができる。但し、この場合は、一例として、図２の伸長部２４と有機ＥＬパネル８との間に、有機ＥＬパネル８の回転角に同期したタイミングで２次元断面画像データを有機ＥＬパネル８に供給するタイミング制御回路を設ける必要がある。
【００７５】
例えば、上記実施の形態では、回転板６側に複数の磁石７４と受電コイル７６を配置し、台座部４側に複数の駆動コイル４４を配置した回転駆動機構を設け、受電コイル７６と駆動コイル４４の電磁結合により電力及び画像データを無線伝送する構成であったが、回転板６を従来のようにモータなどで回転させ、台座部４側から回転板６側に電力及び画像データを電磁結合を用いて無線伝送する構成としても良く或いは、電力を電磁結合を用いて無線伝送し、画像データは光通信や近距離無線通信などの通常の無線通信方式で送信しても良い。
【００７６】
また、上記実施の形態では有機ＥＬパネル８として片面発光のものを用いたが、１枚の有機ＥＬパネルで両面発光のものや、２枚の片面発光の有機ＥＬパネルの非発光面同士を貼り合わせて１枚の有機ＥＬパネルとしての両面発光としたものを用いることにより、有機ＥＬパネルの回転数を上記実施の形態の例えば半分にしてもちらつきのない同品質の３次元画像を表示することができ、その分、回転板６の回転機構の消費電力を低減できると共に、その設計の容易化を図ることができる。特に２枚の有機ＥＬパネルを貼り合わせて１枚のパネルとしたものでは、１枚の有機ＥＬパネルで両面発光できるタイプのように表示画像の明るさが半減することがなくなり、片面から出る光量は同一になるので、有機ＥＬパネル回転数を減らしてもちらつきのない、しかも明るい３次元画像を得ることができる。また、通常構成の有機ＥＬパネルとしては画素を駆動する駆動回路がパネル内に一体形成されていないタイプでも使用することができる。
【００７７】
更に、上記実施の形態では有機ＥＬパネル８が内蔵する記憶素子５６は１ビットの画像データを記憶するタイプであるため、有機ＥＬパネル８が表示する画像は白黒画像を前提として説明したが、記憶素子５６の記憶容量を多ビット化し、ソース信号線５２を通して送られてくる画像データをＡ／Ｄ変換した後、この記憶素子５６に記憶させることにより、表示画像をカラー化することができる。記憶素子５６の記憶容量を例えば３ビットとすることにより、８色を表示することができる。
【００７８】
また、記憶素子５６に記憶する画像データと、既に記憶した一つ前の画像データが似ていて共通部分が多い場合は、これら画像データの差分データのみ前記記憶素子５６に記憶するようにすれば、画像データの書き換え量を削減することができ、その分、書き換えに要する消費電力を低減することができる。
【００７９】
更に、上記実施の形態では、本発明を、回転する自発光の２次元表示ディスプレイにその回転角に同期して画像を切り替えて表示する方式に適用したが、２次元表示ディスプレイが高速移動し、その移動距離に同期して２次元断面画像を前記２次元表示ディスプレイに表示する方式により３次元画像を表示する装置にも本発明を適用して高速移動する２次元表示ディスプレイを有機ＥＬパネルとすることにより、実用的なレベルの３次元画像を表示することができる。
【００８０】
また、上記実施の形態では、３次元画像表示回路の台座部４側に外部通信路４０を介して制御装置１０が接続された構成であったが、３次元オブジェクト画像データの時間変化に対する差分データを入力できるものであれば、接続する機器は受信機や光ディスク再生装置などの各種の映像機器を接続することができる。
【図面の簡単な説明】
【００８１】
【図１】本発明の一実施の形態に係る３次元画像表示装置の外観例を示した斜視図である。
【図２】図１に示した有機ＥＬパネル８に画像を表示する３次元画像表示回路の構成を示したブロック図である。
【図３】図２に示した表示部８２の回路構成を示した回路図である。
【図４】図３に示した書込用ゲート信号線駆動回路８６の構成を示した回路図である。
【図５】図３に示したソース信号線駆動回路８４の構成を示した回路図である。
【図６】図３に示した表示用ゲート信号線駆動回路８８の構成を示した回路図である。
【図７】図２に示した表示部８２を構成する画素９０の回路構成を示した回路図である。
【図８】図７に示した有機ＥＬパネルの表示部の画素９０を構成する有機ＥＬ素子６２の構造を示した断面図である。
【図９】図１に示した回転板６を回転させる回転機構を説明する斜視図及び平面図である。
【図１０】図２に示した制御装置１０で球体の３次元オブジェクト画像データの時間変化に対する差分データを生成する方法を示した図である。
【図１１】図２に示した制御部２０により復元した３次元オブジェクト画像データからその断面画像データを作成する方法を示した図である。
【図１２】図３に示した表示部８２に入力される断面画像データの構成例を示した模式図である。
【図１３】図１、図９に示した回転板６を回転させる動作を説明する図である。
【図１４】従来の体積走査型の３次元ディスプレイ装置の概略構造を示した図である。
【図１５】図１４に示した体積走査型の３次元ディスプレイ装置により３次元画像を表示できる原理を説明する図である。
【符号の説明】
【００８２】
２……３次元画像表示装置、４……台座部、６……回転板、８……有機エレクトロルミネッセンスパネル（有機ＥＬパネル）、１０……制御装置、１２、２２……受信手段、１４……圧縮部、１６、２６……メモリ、１８……伝送手段、２０、３０……制御部、２４……伸長部、２８……アングルセンサ、４０……外部通信路、４４……駆動コイル、４６……信号増幅器、５２……ソース信号線、５４……書込スイッチ用トランジスタ（ＴＦＴ）、５６……記憶素子（メモリ）、５８……表示スイッチ用トランジスタ（ＴＦＴ）、６０……ＥＬ駆動用トランジスタ（ＴＦＴ）、６２……有機ＥＬ素子、６４……電源供給線、６６……光透過性カソード、６８……メタルアノード、７０……有機発光層、７２……ガラス基板、７４……磁石、７６……受電コイル、７８……軸、８２……表示部、８４……ソース信号線駆動回路、８６……書込用ゲート信号線駆動回路、８８……表示用ゲート信号線駆動回路、９０……画素、９２、９４、９８、１６０……シフトレジスタ（ＳＲ）、９６……トランジスタ群、１２６……保護層、１２８……透明シール、１５２、１５４……ラッチ（ＬＡＴ）、Ｘ……書込用ゲート信号線、Ｙ……表示用ゲート信号線。
【図１】
2005045629.tif 000003
【図２】
2005045629.tif 000004
【図３】
2005045629.tif 000005
【図４】
2005045629.tif 000006
【図５】
2005045629.tif 000007
【図６】
2005045629.tif 000008
【図７】
2005045629.tif 000009
【図８】
2005045629.tif 000010
【図９】
2005045629.tif 000011
【図１０】
2005045629.tif 000012
【図１１】
2005045629.tif 000013
【図１２】
2005045629.tif 000014
【図１３】
2005045629.tif 000015
【図１４】
2005045629.tif 000016
【図１５】
2005045629.tif 000017